(57)【要約】【課題】床面清掃用の吸込口体と寝具清掃用の吸込口体を使い分けて各被清掃物に対して確実に清掃することができる電気掃除機の吸込口体を提供すること。【解決手段】吸込口を有する吸込口本体と、この吸込口本体に装着される装着ユニットとを備え、  前記装着ユニットは、回動清掃部材を有する床面清掃用装着ユニットおよび寝具清掃用装着ユニットを含み、  前記床面清掃用装着ユニットを装着することにより被清掃面を検知可能かつ前記寝具清掃用装着ユニットを装着することにより寝具清掃用装着ユニットを検知可能な吸込可能状態検知部と、この吸込可能状態検知部からの検知信号に基づいて被清掃面が検知された状態で前記回動清掃部材を駆動するためのモータと、前記検知信号を送出する吸込可能信号送出部とが、前記吸込口本体に設けられていることを特徴とする電気掃除機の吸込口体。【選択図】図７
2016043117.tif 000002
【特許請求の範囲】
【請求項１】
吸込口を有する吸込口本体と、この吸込口本体に装着される装着ユニットとを備え、
前記装着ユニットは、回動清掃部材を有する床面清掃用装着ユニットおよび寝具清掃用装着ユニットを含み、
前記床面清掃用装着ユニットを装着することにより被清掃面を検知可能かつ前記寝具清掃用装着ユニットを装着することにより寝具清掃用装着ユニットを検知可能な吸込可能状態検知部と、この吸込可能状態検知部からの検知信号に基づいて被清掃面が検知された状態で前記回動清掃部材を駆動するためのモータと、前記検知信号を送出する吸込可能信号送出部とが、前記吸込口本体に設けられていることを特徴とする電気掃除機の吸込口体。
【請求項２】
前記寝具清掃用装着ユニットが揺動清掃部材を有し、
前記モータは、前記筐体に装着された前記寝具清掃用装着ユニットが検知された状態で前記揺動清掃部材を駆動する請求項１に記載の電気掃除機の吸込口体。
【請求項３】
前記吸込口本体における吸込口の周囲部にパッキンが設けられると共に、前記パッキンの表面に摩擦低減膜が積層されている請求項１または２に記載の電気掃除機の吸込口体。
【請求項４】
前記吸込口本体に装着された前記装着ユニットを前記吸込口本体に固定するロック部材と、前記ロック部材にて前記装着ユニットを前記吸込口本体に固定した状態を検知するロック検知部と、前記ロック検知部による固定信号を送出する固定信号送出部とをさらに備えた請求項１〜３に記載の電気掃除機の吸込口体。
【請求項５】
前記ロック検知部による固定信号を送出する固定信号送出部からの固定信号により、掃除機本体に設けられた電動送風機の駆動を制御するように構成された請求項４に記載の電気掃除機の吸込口体。
【発明の詳細な説明】
【技術分野】
【０００１】
本発明は、異なる機能を有する複数の装着ユニットを備えた電気掃除機の吸込口体に関する。
【背景技術】
【０００２】
電気掃除機の吸込口体として、例えば特許文献１には、フローリングや畳等の床面の清掃力を向上させるためにモータで回転駆動する回転ブラシを有する床面清掃用の吸込口体が提案されている。この吸込口体の場合、モータの回転力を回転ブラシに伝達するプーリおよびベルトを有する回転力伝達機構が回転ブラシと連結した状態で吸込口体の筐体内に設けられている。
【０００３】
また、別の吸込口体として、特許文献２には、布団や毛布等の寝具上で振動するビータを備える寝具清掃用の吸込口体が提案されている。この吸込口体は、一対のばねおよび振動子の３点でビータを支持し、回転するカムによって振動子を介してビータを上下に振動させるように構成されている。
【先行技術文献】
【特許文献】
【０００４】
【特許文献１】特開２０１２−２１７７９８号公報
【特許文献２】特許第４５１２６２４号公報
【発明の概要】
【発明が解決しようとする課題】
【０００５】
床面を清掃するときと寝具を清掃するときでは、衛生面、機能面等の観点から、被清掃面に応じた専用の吸込口体（床面清掃用吸込口体または寝具清掃用吸込口体）を使用して効率よく清掃することができる。そのため、被清掃面に応じた専用の各吸込口体にモータ、回路基板等の電気部品を設けなければならず、吸込口体の製造コストが高くなるという問題がある。
【０００６】
そこで、モータ、回路基板等の電気部品を内蔵する吸込口本体に、床面清掃用の清掃部材を有する装着ユニットと寝具清掃用の清掃部材を有する装着ユニットを付け替えるようにすることで、吸込口体の製造コストを低減することができるが、次の新たな問題が生じることになる。
【０００７】
床面清掃用の吸込口体の場合、床面に当接し吸込口体内に押し込まれることによって床面を検知して清掃部材（例えば、回転ブラシ）を作動させ、床面から離れると清掃部材の作動を停止させる安全スイッチを設けることが好ましい。その場合、安全スイッチは電気部品であるため前記吸込口本体に設けられる。そうすると、吸込口本体に寝具清掃用の装着ユニットを装着して布団の清掃を行う場合、被清掃物である布団に安全スイッチが埋没して被清掃面が検知されず、寝具清掃用の清掃部材が作動しないおそれがある。
【０００８】
本発明は、このような課題に鑑みなされたものであり、床面清掃用の吸込口体と寝具清掃用の吸込口体を使い分けて各被清掃物に対して確実に清掃することができる電気掃除機の吸込口体を提供することを目的とする。
【課題を解決するための手段】
【０００９】
かくして、本発明によれば、吸込口を有する吸込口本体と、この吸込口本体に装着される装着ユニットとを備え、
前記装着ユニットは、回動清掃部材を有する床面清掃用装着ユニットおよび寝具清掃用装着ユニットを含み、
前記床面清掃用装着ユニットを装着することにより被清掃面を検知可能かつ前記寝具清掃用装着ユニットを装着することにより寝具清掃用装着ユニットを検知可能な吸込可能状態検知部と、この吸込可能状態検知部からの検知信号に基づいて被清掃面が検知された状態で前記回動清掃部材を駆動するためのモータと、前記検知信号を送出する吸込可能信号送出部とが、前記吸込口本体に設けられている電気掃除機の吸込口体が提供される。
【発明の効果】
【００１０】
本発明によれば、吸込口本体に床面清掃用装着ユニットおよび寝具清掃用装着ユニットを吸込口本体に選択的に装着できるため、吸込口体の製造コストを低減することができる。
また、吸込可能状態検知部は、吸込口本体に床面清掃用装着ユニットを装着した状態では床面を検知し、吸込口本体に寝具清掃用装着ユニットを装着した状態では寝具清掃用装着ユニットを検知する。したがって、床面清掃時には回動清掃部材をモータにて駆動することができ、寝具清掃時には必要に応じてモータを駆動または停止させることができる。具体的には、寝具清掃用装着ユニットに清掃部材が設けられた場合は寝具清掃時にモータを駆動させて清掃部材を作動させることができ、寝具清掃用装着ユニットに清掃部材が設けられない場合は寝具清掃時にモータを停止させることができる。
よって、吸込口本体に床面清掃用装着ユニットおよび寝具清掃用装着ユニットを選択的に装着したときのモータの誤作動が生じないので、安全性をより高めることができる。
【図面の簡単な説明】
【００１１】
【図１】本発明の吸込口本体を備えた電気掃除機の実施形態１を示す斜視図である。
【図２】実施形態１の電気掃除機における吸込口体の平面図である。
【図３】実施形態１の吸込口体を底面側から視た斜視図である。
【図４】（Ａ）は実施形態１の吸込口体の左右方向中央位置の断面図であり、（Ｂ）は左右方向一端側の断面図である。
【図５】（Ａ）は図２のＡ−Ａ線矢視断面図であり、（Ｂ）は図２のＢ−Ｂ線矢視断面図である。
【図６】実施形態１の吸込口体の分解図である。
【図７】（Ａ）は実施形態１における吸込口本体と装着ユニットが分離した状態、（Ｂ）は吸込口本体に装着ユニットを装着する状態を示す図である。
【図８】実施形態１における装着ユニットを吸込口本体に装着する状態を示す部分断面図である。
【図９】（Ａ）は実施形態１における吸込口体に装着された装着ユニットをロック部材にてロックする前の状態、（Ｂ）はロック後の状態を示す断面図である。
【図１０】本発明の吸込口本体を備えた吸込口体の実施形態２であって（Ａ）は平面図、（Ｂ）は側面図、（Ｃ）は底面図である。
【図１１】実施形態２の吸込口体の上ケースを外した状態の平面図である。
【図１２】実施形態２の吸込口体の駆動力伝達機構側の一部断面図である。
【図１３】実施形態２の吸込口体の分解図である。
【図１４】（Ａ）は実施形態２における装着ユニットを吸込口本体に装着する前の状態、（Ｂ）は装着後の状態を示す断面図である。
【図１５】実施形態２における装着ユニットを吸込口本体に装着する状態を示す部分断面図である。
【図１６】実施形態３の吸込口体の底面図である。
【発明を実施するための形態】
【００１２】
（実施形態１）
図１は本発明の回転体の保持構造を備えた電気掃除機の実施形態１を示す斜視図である。
この電気掃除機１は、集塵部および電動送風機等を有する掃除機本体２と、ホース３および延長パイプ４を介して掃除機本体２と接続された吸込口体５とを備える。なお、延長パイプ４のハンドル４ａには操作部４ｂが設けられている。
【００１３】
本発明の特徴は、吸込口体５にあり、その他の構成は特に限定されないため、主として吸込口体５について説明する。なお、本明細書において、「前後方向」は吸込口体５を進退させる方向を指し、「左右方向」は吸込口体５の正面に向かって左右の方向を指す。
【００１４】
＜吸込口体＞
図２は実施形態１の電気掃除機における吸込口体の平面図であり、図３は実施形態１の吸込口体を底面側から視た斜視図である。また、図４（Ａ）は実施形態１の吸込口体の左右方向中央位置の断面図であり、（Ｂ）は左右方向一端側の断面図である。また、図５（Ａ）は図２のＡ−Ａ線矢視断面図であり、（Ｂ）は図２のＢ−Ｂ線矢視断面図である。また、図６は実施形態１の吸込口体の分解図である。
【００１５】
吸込口体５は、全体の形状がＴ形であり、床面に対向する集塵開口部５１ｘおよびバンパー５１ｙを有する装着ユニット５１と、装着ユニット５１と着脱可能に接続すると共に延長パイプ４と着脱可能に接続する吸込口本体５２とを有する。
【００１６】
［床面清掃用の装着ユニット］
実施形態１において、装着ユニット５１は床面清掃用であり、下ケース５１ａ1、上ケース５１ａ2および端部カバーとしてのロック部材５１ａ3を有してなる筐体５１ａと、筐体５１ａ内に設けられた回転ブラシユニット５１ｂとを備える。
【００１７】
下ケース５１ａ1は、前記集塵開口部５１ｘおよび吸込口本体５２に設けられた後述する吸込可能状態検知部５２ａ3を床面側に露出させる窓部５１ａ111が形成された底壁５１ａ11と、底壁５１ａ11の外周に沿って連設された周囲壁５１ａ12と、底壁５１ａ11の後端側に設けられたローラ５１ａ14とを有する。
【００１８】
また、下ケース５１ａ1における集塵開口部５１ｘを有する前方部と、窓部５１ａ111を有する後方部との間には、これらの領域を区画する区画壁５１ａ13が設けられている。これにより、下ケース５１ａ1における後方部には後述する吸込口本体５２の第１筐体部５２ａが装着される装着凹部５１ｚが形成される。なお、区画壁５１ａ13の左右方向の中間には、吸込口本体５２の吸込口５２ａ1の下部を装着ユニット５１の集塵開口部５１ｘ（図３参照）側へ開口させる切欠き５１ａ132が形成されている。
【００１９】
また、底壁５１ａ11および周囲壁５１ａ12における集塵開口部５１ｘの左右一端側には、回転ブラシユニット５１ｂを保持するようリブや段部にて形成された軸受保持部５１Ａが設けられている。
また、周囲壁５１ａ12および区画壁５１ａ13には、後述する吸込口本体５２に設けられた係止溝部５２ａ5に係止する係止凸部５１ａ131が設けられている。
【００２０】
ロック部材５１ａ3は、吸込口本体５２に装着された装着ユニット５１をロックするものである。さらに、ロック部材５１ａ3は、吸込口本体５２に設けられて装着ユニット５１を吸込口本体５２に固定した状態を検知する後述するロック検知部５２ａｘに当接することにより、ロック検知部５２ａｘから固定信号を送出させる機能を有するが、これについて詳しくは後述する。
【００２１】
［回転ブラシユニット］
図６に示すように、回転ブラシユニット５１ｂは、回転ブラシ部５１ｂ1と、回転力伝達機構部５１ｂ2とを有してなる。
【００２２】
回転ブラシ部５１ｂ1は、図示しない複数のブラシ部が外周面に設けられた軸部５１ｂ11と、軸部５１ｂ11の一端に回転可能に設けられた軸受部５１Ｂとを備え、軸部５１ｂ11の他端は回転力伝達機構部５１ｂ2と連結されている。
【００２３】
図４と５に示すように、回転力伝達機構部５１ｂ2は、ケース５１ｂ21内に回転可能に設けられた一対の平行な金属軸５１ｂ22、５１ｂ23に固着された大小のギヤ形プーリ５１ｂ25、５１ｂ26と、これらのプーリ５１ｂ25、５１ｂ26に巻き掛けられたベルト５１ｂ27と、小さいプーリ５１ｂ26と側の金属軸５１ｂ23に固着された後述する吸込口本体５２の駆動ギヤ部５２ａ2と噛合可能なギヤ部５１ｂ28とを備える。なお、ケース部５１ｂ21には水抜き孔５１ｂ221が形成されている。
【００２４】
このように構成された回転ブラシユニット５１ｂによれば、吸込口本体５２の駆動ギヤ部５２ａ2からの回転力がギヤ部５１ｂ28に伝達されて回転すると、その回転力がベルト５１ｂ27を介して回転ブラシ部５１ｂ1に伝達され、それによって回転ブラシ部５１ｂ1の軸部５１ｂ11が回転する。
【００２５】
［吸込口本体］
図２〜６に示すように、吸込口本体５２は、全体の形状がＴ形であり、装着ユニット５１と着脱可能な第１筐体部５２ａと、第１筐体部５２ａの左右長手方向の中間部の後端側に前後軸心廻りに回動可能に接続された接続部５２ｂと、接続部５２ｂに対して揺動可能に接続された第２筐体部５２ｃとを備える。
【００２６】
第１筐体部５２ａは、左右長手方向の中間部の前端側に開口する吸込口５２ａ1が形成されている。そして、この吸込口５２ａ1の周囲部にはパッキン５２ａ11が設けられると共に、パッキン５２ａ11の表面に摩擦低減膜が積層されている。この摩擦低減膜としては、例えば、ＰＥＴ（ポリエチレンテレフタレート）といった樹脂のフィルム、フッ素樹脂といった摩擦低減樹脂の塗膜等が用いられる。
【００２７】
吸込口本体５２に装着ユニット５１を装着する際、吸込口本体５２のパッキン５２ａ11が装着ユニット５１の区画壁５１ａ13に摺接する。このとき、区画壁５１ａ13や切欠き５１ａ131の角部等に擦れたパッキン５２ａ11が剥がれたり傷が付くと、清掃時において、吸込口本体５２と装着ユニット５１の間の隙間付近の空気がパッキン５２ａ11の損傷箇所から吸込口５２ａ1に流入するおそれがあり、そうすると集塵開口部５１ｘから空気を吸引する吸引力が低下する。したがって、パッキン５２ａ11の損傷を抑制することによって不必要な箇所からの空気流入を抑制するために、パッキン５２ａ11の表面に摩擦低減膜が積層されている。
【００２８】
また、第１筐体部５２ａの右側部分には、回転ブラシユニット５１ｂのギヤ部５１ｂ28と噛合可能な駆動ギヤ部５２ａ2を回転させるモータＭ（図５参照）が内蔵されている。また、第１筐体部５２ａの左側部分には、第１筐体部５２ａの底壁に形成した貫通孔を通って上下方向へ揺動可能に設けられた車輪５２ａ32を有する吸込可能状態検知部５２ａ3が設けられている。
【００２９】
吸込口体５が床面上に載置されると、吸込可能状態検知部５２ａ3の車輪５２ａ32が吸込口体５の内部側へ揺動して引っ込む。これにより、吸込可能状態検知部５２ａ3のスイッチがＯＮとなって検知信号を出力する。また、吸込口体５が床面から浮き上がると車輪５２ａ32が外部へ突出する。これにより、吸込可能状態検知部５２ａ3のスイッチがＯＦＦとなって検知信号の出力を停止する。なお、この検知信号は、例えば、掃除機本体２内に設けられた制御部（例えば、マイコン）に入力され、その検知信号に基づいて制御部はモータＭの駆動を制御する。この制御は、不用意な回転ブラシ部５１ｂ1の回転を停止して吸込口体５の安全性を確保するためである。
【００３０】
また、第１筐体部５２ａの左側部分であって吸込可能状態検知部５２ａ3の上方には、前記ロック部材５１ａ3にて装着ユニット５１を吸込口本体５２に固定した状態を検知するロック検知部５２ａｘ（図９参照）が設けられている。ロック検知部５２ａｘについて詳しくは後述する。
【００３１】
接続部５２ｂは、第１筐体部５２ａの左右長手方向の中間部の後端側に設けられた筒形部５２ａ4の内部に気密かつ回動可能に嵌め込まれる前接続部５２ｂ1と、凹曲面状の内面を有する前接続部５２ｂ1と連設された後接続部５２ｂ2とを有する。また、後接続部５２ｂ2の上部には切欠き５２ｂ21が形成されている。
【００３２】
第２筐体部５２ｃは、接続部５２ｂの後接続部５２ｂ2内に気密かつ揺動可能に嵌め込まれる前接続部５２ｃ1と、延長パイプ４と着脱可能に接続される後接続部５２ｃ2とを有する。後接続部５２ｃ2は、延長パイプ４の接続端子と電気的に接続可能な複数の接続端子５２ｃ21が設けられている。この接続端子５２ｃ21は、吸込可能状態検知部５２ａ3の検知信号を前記制御部に送出する信号送出部として機能すると共に、後述するロック検知部５２ａｘのロック検知信号を前記制御部に送出する信号送出部として機能する。
【００３３】
［床面清掃用の装着ユニットの吸込口本体への装着］
図７（Ａ）は実施形態１における吸込口本体と装着ユニットが分離した状態、（Ｂ）は吸込口本体に装着ユニットを装着する状態を示す図である。また、図８は実施形態１における装着ユニットを吸込口本体に装着する状態を示す部分断面図である。また、図９（Ａ）は実施形態１における吸込口体に装着された装着ユニットをロック部材にてロックする前の状態、（Ｂ）はロック後の状態を示す断面図である。
【００３４】
吸込口本体５２に装着ユニット５１を装着する際は、図７（Ａ）に示すように、装着ユニット５１の装着凹部５１ｚの上方に吸込口本体５２を移動させ、図７（Ｂ）に示すように、吸込口本体５２の第１筐体部５２ａ1を装着ユニット５１の装着凹部５１ｚに挿入する。そして、図８に示すように、吸込口本体５２を右方向へスライド移動させることにより、吸込口本体５２の駆動ギヤ部５２ａ2が回転ブラシユニット５１ｂのギヤ部５１ｂ28と噛合する。このとき、吸込可能状態検知部５２ａ3の車輪５２ａ32が、装着ユニット５１の前記窓部５１ａ111から下方外部へ突出する。
【００３５】
また、下ケース５１ａ1の複数の係止凸部５１ａ131が吸込口本体５２の複数の係止溝部５２ａ5に係止する。なお、図５（Ａ）と（Ｂ）に示すように、各係止溝部５２ａ5は横倒Ｌ形に形成されており、各係止溝部５２ａ5に嵌り込んだ各係止凸部５１ａ131が縦（上下）方向にスライドした後に横（左右）方向にスライドできる。
【００３６】
また、吸込口本体５２を装着ユニット５１に対して限界まで横方向にスライドすることにより、「カチッ」という係止音が発せられるように構成されている。この係止音は、図８に示すように、吸込口本体５２の第１筐体部５２ａの底部から外部下方に突出・引っ込み可能に設けられた凸部５２ａ12が、装着ユニット５１の装着凹部５１ｚに設けられた係合凹部５１ｚ1に係合することにより発せられる。この係止音により、ユーザーは、装着ユニット５１を吸込口本体５２に確実に装着できたことを認識することができる。
【００３７】
この場合、例えば、凸部５２ａ12は下方の先端に丸みを有する弾丸形に形成され、図示しない弾発部材にて下方へ弾発的に付勢される。また、係合凹部５１ｚ1は、装着凹部５１ｚの底面に形成された突起部５１ｚ2の丸みを有する頂部に形成された凹みとすることができる。このようにすれば、凸部５２ａ12が突起部５１ｚ2の丸み部分を乗り越えて係合凹部５１ｚ1に係止することができ、かつ係止の際に前記係止音が発せられやすくなる。
【００３８】
吸込口本体５２を装着ユニット５１に対して限界まで横方向にスライドして装着した後、装着ユニット５１の装着凹部５１ｚにおける吸込口本体５２の第１筐体部５２ａの左側のスペースにロック部材５１ａ3を嵌め込む。これにより、吸込口本体５２に装着された装着ユニット５１が固定される。
【００３９】
このとき、図９（Ａ）と（Ｂ）に示すように、吸込口本体５２の第１筐体部５２ａの左側部分に設けられた前記ロック検知部５２ａｘに対してロック部材５１ａ3が作用する。例えば、ロック部材５１ａ3がロック検知部５２ａｘのスイッチ部をＯＮすることによって、ロック検知部５２ａｘがロック検知信号を出力する。また、ロック部材５１ａ3を取り外すことにより、ロック検知部５２ａｘのスイッチ部がＯＦＦとなって、ロック検知部５２ａｘからのロック検知信号の出力が停止する。
【００４０】
このロック検知信号は、例えば、掃除機本体２内に設けられた制御部に入力され、そのロック検知信号に基づいて制御部はモータＭの駆動を制御する。つまり、吸込口本体５２に装着ユニット５１が適切に装着され固定されると、ロック検知信号が制御部に入力される。
【００４１】
吸込口本体５２に床面清掃用の装着ユニット５１が装着されてなる吸込口体５を備えた電気掃除機１によれば、前記のように吸込口体５を床面上に載置することによって吸込可能状態検知部５２ａ3の車輪５２ａ32が上がって吸込可能状態検知信号が出力され、その吸込可能状態検知信が制御部に入力される。
【００４２】
ロック検知信号と吸込可能状態検知信号の両方が制御部に入力されることによって、吸込口体５のモータＭは駆動可能状態となる。よって、ハンドル４ａの操作部４ｂを操作して運転モードにすると、掃除機本体２内の電動送風機が駆動すると共に、回転ブラシ部５１ｂ1が回転して床面清掃を行うことができる。
【００４３】
実施形態１の吸込口体５によれば、吸込口本体５２に装着ユニット５１が不適切に装着された状態のままモータＭが駆動して回転ブラシ部５１ｂ1が回転し、それによってモータＭ、駆動ギヤ部５２ａ2、ギヤ部５１ｂ28等の部品が損傷するという不具合を防止できると共に、吸込口体５が床面上に載置されてから回転ブラシ部５１ｂ1が回転するという安全性に配慮することができる。
【００４４】
なお、吸込口本体５２と装着ユニット５１の分離は、装着の手順と逆に行えばよい。また、モータＭや吸込状態検知部５２ａ3、ロック検知部５２ａｘ等の電気部品は吸込口本体５２内に収められ、装着ユニット５１内に電気部品は全く収められていないため、図６のように装着ユニット５１を分解して各部品を水洗いすることができる。
【００４５】
（実施形態２）
図１０は本発明の吸込口本体を備えた吸込口体の実施形態２であって（Ａ）は平面図、（Ｂ）は側面図、（Ｃ）は底面図である。また、図１１は実施形態２の吸込口体の上ケースを外した状態の平面図であり、図１２は実施形態２の吸込口体の駆動力伝達機構側の一部断面図であり、図１３は実施形態２の吸込口体の分解図である。
【００４６】
実施形態２では、実施形態１で説明した吸込口本体５２に、寝具清掃用の装着ユニット１０５１を装着した吸込口体１００５を説明する。つまり、この吸込口体１００５は、叩き板によって布団や毛布等の寝具に付着した塵埃、髪の毛や糸屑等の繊維状ゴミ、綿ゴミ等を叩き出して吸い取る寝具清掃用の吸込口体である。
【００４７】
［寝具清掃用の装着ユニット］
寝具清掃用の装着ユニット１０５１は、下ケース１０５１ａ1、上ケース１０５１ａ2およびロック部材１０５１ａ3を有してなる筐体１０５１ａと、筐体１０５１ａ内に設けられた叩き板１０５１ｂと、叩き板１０５１ｂを揺動させる駆動力伝達機構１０５１ｃとを備える。
【００４８】
下ケース１０５１ａ1は、底壁１０５１ａ11と、底壁１０５１ａ11の外周に沿って連設された周囲壁１０５１ａ12とを有する。
下ケース１０５１ａ1における集塵開口部１０５１ｘを有する前方部と、集塵開口部１０５１ｘよりも後方の後方部との間には、これらの領域を区画する区画壁１０５１ａ13が設けられている。これにより、下ケース１０５１ａ1における後方部には吸込口本体５２の第１筐体部５２ａが装着される装着凹部１０５１ｚが形成される。なお、装着凹部１０５１ｚの底壁１０５１ａ11には、実施形態１の装着ユニット５１が有する窓部５１ａ111に相当する開口部は形成されていない。
【００４９】
底壁１０５１ａ11および周囲壁１０５１ａ12には、叩き板１０５１ｂおよび駆動力伝達機構１０５１ｃを保持する複数のリブおよび段部が形成されており、集塵開口部１０５１ｘの左右両側のリブおよび段部は、実施形態２の叩き板１０５１ｂを支持する軸受保持部１０５１Ａとしての役割を担っている。
【００５０】
また、底壁１０５１ａ11の下面における集塵開口部１０５１ｘの周囲には、前後方向に延びる複数のリブ１０５１ａ111が設けられている。これらのリブ１０５１ａ111は、吸込口体１００５の下面を寝具に押し付けたときに寝具と下面との間に隙間を形成し、集塵開口部１０５１ｘが寝具に吸い付くことを抑制する。
【００５１】
［叩き板］
叩き板１０５１ｂは、軸部１０５１ｂ1と、軸部１０５１ｂ1の両端に回転自在に設けられた実施形態１と同様の軸受部５１Ｂと、軸部１０５１ｂ1から径方向外方へ突出する叩き板部１０５１ｂ2、摘み片１０５１ｂ3、弾発部材当接片１０５１ｂ4およびカム当接片１０５１ｂ5とを有する。
【００５２】
［駆動力伝達機構］
駆動力伝達機構１０５１ｃは、吸込口本体５２の駆動ギヤ部５２ａ2と噛合可能なギヤ部１０５１ｃ1と、叩き板１０５１ｂのカム当接片１０５１ｂ5と当接可能なカム部１０５１ｃ2と、外側ケース部１０５１ｃ3と、内側ケース部１０５１ｃ4とを備える。なお、外側ケース部１０５１ｃ3には水抜き孔１０５１ｃ221が形成されている。
【００５３】
外側ケース部１０５１ｃ3と内側ケース部１０５１ｃ4とはネジにて連結され、連結されて組み立てられたケース内には、外側ケース部１０５１ｃ3に相互に平行に固着された３本の金属軸１０５１ｃ5、１０５１ｃ6、１０５１ｃ7と、ギヤ形の第１〜４プーリ１０５１ｃ8、１０５１ｃ9、１０５１ｃ10、１０５１ｃ11および一対のベルト１０５１ｃ12、１０５１ｃ13が収納されている。
【００５４】
ギヤ部１０５１ｃ1は、そのボス部が金属軸１０５１ｃ5に一体回転可能に取り付けられている。また、金属軸１０５１ｃ5には小さい第１プーリ１０５１ｃ8が固着されている。
【００５５】
カム部１０５１ｃ2は筒状の軸部を有し、その軸部の一端が金属軸１０５１ｃ7に一体回転可能に取り付けられると共に、金属軸１０５１ｃ7に大きい第４プーリ１０５１ｃ11が固着されている。また、カム部１０５１ｃ2の軸部の他端にも金属軸が固着されており、この金属軸に軸受を介して実施形態１と同様の軸受部５１Ｂが取り付けられている。
【００５６】
また、中間の金属軸１０５１ｃ6には大きい第２プーリ１０５１ｃ9および小さい第３プーリ１０５１ｃ10が固着されている。そして、第１と第２プーリ１０５１ｃ8、１０５１ｃ9がベルト１０５１ｃ12にて張架され、第３と第４プーリ１０５１ｃ10、１０５１ｃ11が別のベルト１０５１ｃ13にて張架されている。
【００５７】
このように構成された駆動力伝達機構１０５１ｃによれば、吸込口本体５２のモータＭからの回転力がギヤ部１０５１ｃ1に伝達されて回転すると、その回転力が第１プーリ１０５１ｃ8、ベルト１０５１ｃ12、第２プーリ１０５１ｃ9、第３プーリ１０５１ｃ10、ベルト１０５１ｃ13および第４プーリ１０５１ｃ11を介してカム部１０５１ｃ2に伝達され、それによってカム部１０５１ｃ2が回転する。このとき、第１プーリ１０５１ｃ8の回転速度は、例えば、６〜１２％程度に減速されてカム部１０５１ｃ2に伝達される。
【００５８】
［叩き板の動作］
駆動力伝達機構１０５１ｃのカム部１０５１ｃ2が回転することによって、叩き板１０５１ｂにおいては、カム当接片１０５１ｂ5が下方に押され、それによって軸部１０５１ｂ1が回動して叩き板部１０５１ｂ2が上方へ揺動する。そして、カム当接片１０５１ｂ5がカム部１０５１ｃ2を乗り越えると、弾発部材１０５１ｃ8によって付勢された弾発部材当接片１０５１ｃ4が軸部１０５１ｂ1を反対方向へ回動させ、それによって叩き板部１０５１ｂ2が下方へ揺動する。この動作を繰り返すことで叩き板部１０５１ｂ2が、例えば、１分間に、６００〜１２００ストローク程度の割合で揺動（振動）する。このように、叩き板１０５１ｂは上方と下方へ所定角度範囲で往復揺動する。
【００５９】
［寝具清掃用の装着ユニットの吸込口本体への装着］
【００６０】
図１４（Ａ）は実施形態２における装着ユニットを吸込口本体に装着する前の状態、（Ｂ）は装着後の状態を示す断面図であり、図１５は実施形態１における装着ユニットを吸込口本体に装着する状態を示す部分断面図である。
【００６１】
吸込口本体５２に装着ユニット１０５１を装着する際は、実施形態１の場合と同様である。すなわち、装着ユニット１０５１の装着凹部１０５１ｚの上方に吸込口本体５２を移動させ、吸込口本体５２の第１筐体部５２ａを装着ユニット１０５１の装着凹部１０５１ｚに挿入する。そして、吸込口本体５２を右方向へスライド移動させることにより、吸込口本体５２の駆動ギヤ部５２ａ2が駆動力伝達機構１０５１ｃのギヤ部１０５１ｃ1と噛合する。
【００６２】
このとき、図１４と図１５に示すように、吸込可能状態検知部５２ａ3の車輪５２ａ32は、装着ユニット１０５１の装着凹部１０５１ｚの底壁１０５１ａ11上に乗る。よって、車輪５２ａ32は上がった状態であるため、吸込可能状態検知部５２ａ3から制御部に向かって吸込可能状態検知信号が出力される。
【００６３】
なお、仮に、実施形態１のように車輪５２ａ32が装着ユニット１０５１の下方外部に突出していたとすると、吸込口体１００５を布団上に載置したときに吸込可能状態検知部５２ａ3の車輪５２ａ32が布団に埋没するおそれがある。そうすると、車輪５２ａ32が上昇せず、吸込可能状態検知部５２ａ3が布団を検知しないため、吸込可能状態検知部５２ａ3から制御部に向かって吸込可能状態検知信号が出力されなくなる。その場合、モータＭが駆動しないため叩き板１０５１ｂ1が揺動しないという不具合が生じるおそれがある。
【００６４】
また、実施形態１と同様に、下ケース１０５１ａ1の複数の係止凸部１０５１ａ131が吸込口本体５２の複数の係止溝部５２ａ5に係止する。また、吸込口本体５２を装着ユニット１０５１に対して限界まで横方向にスライドすることにより、「カチッ」という係止音が発せられる。すなわち、寝具清掃用の装着ユニット１０５１にも、実施形態１と同様に、係合凹部１０５１ｚ1が設けられている。
【００６５】
吸込口本体５２を装着ユニット１０５１に対して限界まで横方向にスライドして装着した後、実施形態１と同様に、装着ユニット１０５１の装着凹部１０５１ｚにおける吸込口本体５２の第１筐体部５２ａの左側のスペースにロック部材１０５１ａ3を嵌め込む。これにより、吸込口本体５２に装着された装着ユニット１０５１が固定される（図９参照）。
【００６６】
このときも、実施形態１と同様に、吸込口本体５２のロック検知部５２ａｘに対してロック部材１０５１ａ3がロック検知部５２ａｘのスイッチ部をＯＮすることによって、ロック検知部５２ａｘがロック検知信号を出力する。また、ロック部材１０５１ａ3を取り外すことにより、ロック検知部５２ａｘのスイッチ部がＯＦＦとなって、ロック検知部５２ａｘからのロック検知信号の出力が停止する。
【００６７】
そして、このロック検知信号は、例えば、掃除機本体２内に設けられた制御部に入力され、そのロック検知信号に基づいて制御部はモータＭの駆動を制御する。つまり、吸込口本体５２に装着ユニット１０５１が適切に装着され固定されると、ロック検知信号が制御部に入力される。
【００６８】
このように、吸込口本体５２に寝具清掃用の装着ユニット１０５１が装着されてなる吸込口体１００５を備えた電気掃除機によれば、吸込口本体５２に装着ユニット１０５１が適切に装着され固定されると、吸込可能状態検知信号およびロック検知信号が制御部に入力される。
【００６９】
ロック検知信号と吸込可能状態検知信号の両方が制御部に入力されることによって、吸込口体５のモータＭは駆動可能状態となる。よって、ハンドル４ａの操作部４ｂを操作して運転モードにすると、掃除機本体２内の電動送風機が駆動して吸込口体１００５による吸引が開始し、かつ叩き板１０５１ｂ1が揺動して寝具清掃を行うことができる。また、ロック検知信号と吸込可能状態検知信号の両方またはロック検知信号が制御部に入力されることによって、電動送風機が駆動可能状態となるようにしてもよい。
【００７０】
実施形態２の吸込口体１００５によれば、吸込口本体５２に装着ユニット１０５１が不適切に装着された状態のままモータＭが駆動して叩き板１０５１ｂ1が揺動し、それによってモータＭ、駆動ギヤ部５２ａ2、ギヤ部１０５１ｃ1等の部品が損傷するという不具合を防止できると共に、吸込可能状態検知部５２ａ3が装着ユニット１０５１を検知して確実に叩き板１０５１ｂ1を揺動させることができる。
【００７１】
なお、吸込口本体５２と装着ユニット１０５１の分離は、装着の手順と逆に行えばよい。また、モータＭや吸込状態検知部５２ａ3、ロック検知部５２ａｘ等の電気部品は吸込口本体５２内に収められ、装着ユニット１０５１内に電気部品は全く収められていないため、図１３のように装着ユニット１０５１を分解して各部品を水洗いすることができる。
【００７２】
（実施形態３）
図１６は実施形態３の吸込口体の底面図である。なお、図１６において、図１１中の要素と同様の要素には同一の符号を付している。
実施形態３の吸込口体１１０５は、装着ユニット１１５１が異なる以外は実施形態２と同様である。すなわち、実施形態３における装着ユニット１１５１は、その底壁１１５１ａ11における区画壁１０５１ａ13よりも集塵開口部１０５１ｘ側に複数の補助開口部１１５１ａ111が形成されている。
【００７３】
実施形態３の場合、円形の補助開口部１１５１ｂ111が長手方向に一列で形成された場合を例示しているが、これに限定されず、例えば、補助開口部１１５１ｂ111を長手方向に細長く形成してもよい。集塵開口部１０５１ｘの周囲近傍に複数の補助開口部１１５１ａ111が設けられることにより、吸引箇所が分散されるため、集塵開口部１０５１ｘに寝具が吸い付くことを抑制することができると共に、集塵効率を高めることができる。
【００７４】
（まとめ）
本発明の電気掃除機の吸込口体は、吸込口を有する吸込口本体と、この吸込口本体に装着される装着ユニットとを備え、
前記装着ユニットは、回動清掃部材を有する床面清掃用装着ユニットおよび寝具清掃用装着ユニットを含み、
前記床面清掃用装着ユニットを装着することにより被清掃面を検知可能かつ前記寝具清掃用装着ユニットを装着することにより寝具清掃用装着ユニットを検知可能な吸込可能状態検知部と、この吸込可能状態検知部からの検知信号に基づいて被清掃面が検知された状態で前記回動清掃部材を駆動するためのモータと、前記検知信号を送出する吸込可能信号送出部とが、前記吸込口本体に設けられている。
【００７５】
本発明の電気掃除機の吸込口体は、次のように構成されてもよく、それらが適宜組み合わされてもよい。
（１）前記寝具清掃用装着ユニットが揺動清掃部材を有し、
前記モータは、前記筐体に装着された前記寝具清掃用装着ユニットが検知された状態で前記揺動清掃部材を駆動してもよい。
このようにすれば、清掃能力を高めるために揺動清掃部材が設けられた寝具清掃用装着ユニットを備えた吸込口体を得ることができる。
【００７６】
（２）前記吸込口本体における吸込口の周囲部にパッキンが設けられると共に、前記パッキンの表面に摩擦低減膜が積層されてもよい。
このようにすれば、吸込口本体に装着ユニットを装着する際、吸込口本体の吸込口の周囲部に設けられたパッキンが装着ユニットに摺接して剥がれたり傷付いて気密性が損なわれる、という不具合を抑制することができる。
【００７７】
（３）前記吸込口本体に装着された前記装着ユニットを前記吸込口本体に固定するロック部材と、前記ロック部材にて前記装着ユニットを前記吸込口本体に固定した状態を検知するロック検知部と、前記ロック検知部による固定信号を送出する固定信号送出部とをさらに備えてもよい。
【００７８】
このようにすれば、吸込口本体に装着ユニットが適切に装着され固定された場合に、例えば、固定信号送出部から固定信号を掃除機本体側の制御部に送出し、それによって制御部が装着ユニットの清掃部材を駆動させるように制御することが可能となる。したがって、吸込口本体に装着ユニットが適切に装着されていないまま清掃部材を駆動させ、それによって清掃部材やそれに駆動力を伝達する機構等が破損や故障する、といった不具合を未然に回避できる。
【００７９】
（４）前記ロック検知部による固定信号を送出する固定信号送出部からの固定信号により、掃除機本体に設けられた電動送風機の駆動を制御するように構成されてもよい。
このようにすれば、吸込口本体に装着ユニットが適切に装着され固定された場合に、例えば、固定信号送出部から固定信号を掃除機本体側の制御部に送出し、それによって制御部が電動送風機を駆動させるように制御することが可能となる。
【００８０】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００８１】
５１ｂ1  回転ブラシ部（回動清掃部材）
５１  床面清掃用装着ユニット
１０５１  寝具清掃用装着ユニット
５２ａ1  吸込口
５２ａ  第１筐体
５２ａ3  吸込可能状態検知部
Ｍ  モータ
５２ｃ21  信号送出部
１０５１ｂ  叩き板（揺動清掃部材）
５２ａ11  パッキン
１  電気掃除機
５２  吸込口本体
５、１００５  吸込口体
５１ａ3  ロック部材
５２ａｘ  ロック検知部
【図１】
2016043117.tif 000003
【図２】
2016043117.tif 000004
【図３】
2016043117.tif 000005
【図４】
2016043117.tif 000006
【図５】
2016043117.tif 000007
【図６】
2016043117.tif 000008
【図７】
2016043117.tif 000009
【図８】
2016043117.tif 000010
【図９】
2016043117.tif 000011
【図１０】
2016043117.tif 000012
【図１１】
2016043117.tif 000013
【図１２】
2016043117.tif 000014
【図１３】
2016043117.tif 000015
【図１４】
2016043117.tif 000016
【図１５】
2016043117.tif 000017
【図１６】
2016043117.tif 000018